【事件の表示】
　特許第３１８３７７９号「高層建築物の汚水処理装置」の請求項１に係る特許に対する特許異議の申立てについて、次のとおり決定する。
【結　論】
　訂正を認める。
　特許第３１８３７７９号の請求項１に係る特許を維持する。
【理　由】
１．手続の経緯
　本件特許第３１８３７７９号の請求項１に係る発明についての出願は、平成６年８月３日に特許出願され、平成１３年４月２７日にその特許権の設定登録がなされたものである。
　これに対して、井上盛夫より特許異議の申立てがなされ、取消理由通知がなされ、その指定期間内の平成１４年８月６日付けで訂正請求がなされたものである。
２．訂正の適否
２−１．訂正の内容
　本件訂正請求の内容は、本件特許明細書を訂正請求書に添付された訂正明細書のとおり、すなわち次の訂正事項ａ及びｂのとおりに訂正するものである。
（１）訂正事項ａ：請求項１の「下方に」を「下方の前記土壌中に」と、また「通気層」を「面状に拡がる通気層」とそれぞれ訂正する。
（２）訂正事項ｂ：明細書の段落【０００７】の「下方に」を「下方の前記土壌中に」と、また「通気層」を「面状に拡がる通気層」とそれぞれ訂正する。
２−２．訂正の目的の適否、新規事項の有無及び拡張・変更の存否
　上記訂正事項ａは、請求項１に「の前記土壌中」と「面状に拡がる」とを追加して技術的に限定するものであるから、特許請求の範囲の減縮に該当する。
　また、上記訂正事項ｂは、特許請求の範囲の減縮に伴って明細書の記載を請求項１の内容と整合させるものであるから、明りょうでない記載の釈明に該当する。
　そして、上記訂正事項ａ及びｂは、いずれも願書に添付した明細書又は図面に記載した事項の範囲内においてなされたものであるから新規事項の追加に該当せず、また実質上特許請求の範囲を拡張し又は変更するものでもない。
２−３．まとめ
　したがって、上記訂正は、平成６年改正法附則第６条第１項の規定によりなお従前の例によるとされる、特許法第１２０条の４第３項において準用する平成６年改正法による改正前の特許法第１２６条第１項ただし書、第２項の規定に適合するので、当該訂正を認める。
３．本件訂正発明
　上記訂正は、これを認容することができるから、本件訂正後の請求項１に係る発明（以下、「本件訂正発明１」という）は、訂正明細書の特許請求の範囲の請求項１に記載された事項により特定される次のとおりのものである。
「【請求項１】高層建築物の地下又は敷地内に設置され、高層建築物の生活排水等を一次処理する浄化槽と、高層建築物の屋上又は敷地内に設置され、前記一次処理水を高度処理する土壌浄化装置と、前記一次処理水を土壌浄化装置に供給する手段と、高層建築物の屋上又は敷地内に設置された高度処理水の集水槽より成り、前記土壌浄化装置は、通気性、保水性が良好で好気性菌の繁殖に適した土壌中に埋設されたトレンチと、このトレンチ上に配置されかつ周囲に礫状材を充填した汚水供給用多孔管と、前記トレンチの下方の前記土壌中に設けられた多孔質材より成る面状に拡がる通気層と、この通気層と外気を連通する給排気管と、通気層の下方に設けられた処理水の集水溝と、この集水溝の底部に配置された集水用多孔管より成り、この多孔管から前記集水槽に高度処理水を供給する手段を設けた高層建築物の汚水処理装置。」
４．特許異議申立てについて
４−１．特許異議申立ての理由
　特許異議申立人は、証拠方法として、甲第１号証乃至甲第６号証を提出して、次のとおり主張している。
（１）訂正前の本件請求項１に係る発明は、甲第１号証乃至甲第６号証に記載された発明に基づいて当業者が容易に発明をすることができたものであるから、本件発明についての特許は、特許法第２９条第２項に違反してなされたものである。
（２）平成１３年２月１９日付け補正は、少なくとも段落【００１０】を「一方、土壌は通気性、保水性が良好であるため、好気性菌の繁殖に適しており、さらにトレンチの下方に外気に通じる通気層を設け、面状の拡がりを持たせることができるようにしてあるため、吸排気が広範囲かつ良好に行なわれ、・・・」及び段落【００２０】を「前記トレンチ１２の下方の土壌１１中には、軽石などの多孔質材を充填した通気層１６が設けられ、面状に拡げることができるようになっている。・・・」と補正するものであるが、この補正の「面状の拡がりを持たせることができるようにしてあるため」及び「吸排気が広範囲かつ良好に行なわれ、」という事項は、当初の明細書又は図面には記載されていないから、平成１３年２月１９日付け補正は、願書に添付した明細書及び図面に記載した事項の範囲内においてなされたものではない。
４−２．証拠の記載内容
　特許異議申立人が提出した上記甲第１号証乃至甲第６号証には、それぞれ次の事項が記載されている。
（１）甲第１号証：特開昭５０−４２６７２号公報
（ａ）「自然土壌層の下方に浄化砂層を設け、その下方に外気の流通を許す空気流通空間を設けると共に、上記空間内に流下汚水と空気との接触を良好にするために充填材を配置し、上記浄化砂層中に被処理汚水を供給するようにして成ることを特徴とする汚水浄化装置。」（第１頁左欄特許請求の範囲の項）
（ｂ）「つぎに、上記浄化砂層６の表面に前記と同様のスダレ状被覆７を介して、その上に例えば第４図に示すように、空間形成用コンクリート構造材８が整列して配置されている。この構造体８はその上下壁面９に汚水の流下を許す数個の小孔１０が設けられ、この内部には例えばポリ塩化ビニル、・・・からなる小片、小塊、多孔質構造体などの・・・各種成形品からなる充填材１１が詰め込まれており、この構造体８および充填材からなる帯域はその上方から流下する処理汚水がこの帯域を通過する間に、空気との接触をできるだけ良好なものとなるようにして、汚水中に残存する有機物の浄化分解を促進させるのに効果がある。」（第２頁右上欄第２行乃至第１６行）
（ｃ）「この汚水供給設備は上記浄化砂層１４中の一定の高さに第１図に示すように一定の間隔をもって配列した皿板１５と、この皿板上に配設された数本の分水管１６とからなり、この分水管１６には各皿板１５上に被処理汚水を供給するべく小孔が窄設され、さらに各皿板１５上には上記分水管１６を被うようにして浄化礫１８を盛り上げその表面に通水性の被覆１９が置かれている。」（第２頁左下欄第３行乃至第１１行）
（２）甲第２号証：特開平５−１８５０７６号公報
（ａ）「本発明は、し尿、生活廃水、工業廃水等の汚水を土壌に浸透させ、同汚水を土壌中の微生物の浄化作用によって処理・処分するための土壌トレンチに関し、特に浸潤マットを使用した土壌トレンチに係るものである。」（段落【０００１】）
（ｂ）「請求項１記載の浸潤マット式土壌トレンチにおいて、散水管から滲出する汚水は、浸潤マットを浸潤して微生物の活性の高い土壌表層部に拡散する。このとき、浸潤マットに含まれた多孔質珪酸カルシウム水和物、キト酸及び炭が次のように作用するため、汚水の流入開始時から汚水の浄化能が高く、また、長期間使用しても目詰りが少なく浄化能が持続するとともに、汚水の拡散が良く浄化能が向上する。」（段落【００１２】）
（ｃ）「次に、請求項４記載の浸潤マット式土壌トレンチによれば、次のような作用が相される。すなわち、従来技術は、好気性微生物を活性化するために、土中の酸素をサイフォンで通気性土壌に送るようにしているが、そもそも土中の酸素量は少なく、目詰り等もあり、好気性微生物を活性化することには覚束がない。これに対し、浸潤マット内に少なくとも１本の給気管を挿通することにより、大気中の酸素を直接的にかつ持続的に取り込むことになるから、好気状態を良好に持続することができ、微生物を活性化することにより、目詰りを起こりにくくし、浄化能を非常に高くすることができる。」（段落【００１７】）
（ｄ）「本実施例の浸潤マット式土壌トレンチ１においては、大地に幅１〜３ｍ、深さ１〜２ｍ、長さ２〜１５０ｍ程度のトレンチ溝２が掘られている。このトレンチ溝２の底部には集水管３が配設されるととともに、砂利とゼオライトとの混合物よりなる砂利ゼオライト層４が形成されている。
　砂利ゼオライト層４の上には、現場で掘られた土壌にケイ酸質土壌活性肥料が混合された通気性土壌よりなる通気性土壌下層部５が形成されている。」（段落【００１８】及び段落【００１９】）
（ｅ）「多孔質珪酸カルシウム水和物層６の上には、通気性土壌下層部５と同様の通気性土壌よりなる通気性土壌中層部７が形成されている。通気性土壌中層部７の上には、キト酸木炭層８が形成されている。このキト酸木炭は、木炭の粉粒体をキト酸で造粒して作ったものであり、粒径は２〜４ｍｍである。キト酸木炭層８の上には、通気性土壌下層部５と同様の通気性土壌が地表まで埋め戻されて通気性土壌表層部９が形成されている。
　さて、通気性土壌表層部９の途中深さには、浸潤マット１１と、その幅方向中央部の下方に設けられた散水管１２と、その下方に設けられ散水管１２の下部と浸潤マット１１の幅方向両縁部とを支持する台座１３とからなる汚水処理資材１０が配設されている。」（段落【００２１】及び（段落【００２２】）
（ｆ）「次に、請求項３記載の浸潤マット式土壌トレンチによれば、前記の通り、散水管→浸潤マット→土壌表層部の順に拡散して徐々に浄化された汚水が、土壌下層部に降りるときに、浸潤マットより下方の土壌に設けた多孔質珪酸カルシウム水和物、キト酸、炭又はゼオライトを通過するため、汚水の浄化能がさらに向上する。ここで、多孔質珪酸カルシウム水和物、キト酸及び炭の作用は、前記浸潤マットにおけるそれと同様である。また、ゼオライトは、アンモニア、カリ等の無機イオン（陽イオン）を吸着除去するとともに、悪臭成分や着色成分を吸着除去する作用がある。」（段落【００１６】）
（３）甲第３号証：特開昭５０−１９２５６号公報
（ａ）「この発明は細粒層中に廃水を散水しながら供給して、細粒層中の微生物を利用して浄化する廃水処理装置の改良発明である。」（第１頁左欄第１０行乃至第１２行）
（ｂ）「特に層６は、細粒からなる層５全体を好気的条件に維持するための重要な層である。すなわち、この粗粒からなる層６には、微生物の浄化に必要な酸素を供給する送気管７および排気管８が接続されている。従って空気は・・・各薄層５へ平均に導入され、かつ・・・排ガスが平均に排出されることなるので、空気の片流れが是正され、・・・全体を好気的条件に維持することが可能となる。」（第２頁左下欄第１２行乃至右下欄第３行）
（４）甲第４号証：特開昭５４−１３３７５７号公報
「通気室層（４）は土中の微生物の作用を受けず腐蝕しない周知の部材にて中空板状（第１図、第３図）又は平板を架橋して形成した一定の通気空間形態（第４図）又は断面略波形状（第５図、第６図）又はこれらに類する種々の形態に構成し、且つその表面には土壌層（３）への給気手段であり同時に清浄水（イ’）、半清浄水の流通孔（４ａ）を無数形成すると共にこの通気室層（４）における対角位置の隅部には外気との連通手段である連通管（８）（８）を接続せしめる。
　そして通気室層（４）は・・・外気の流通系路を構成し、常時外気を流通孔（４ａ）を通じて上下の土壌層（３）に給気して好気性状態を維持保障し得るように形成する。」（第２頁左上欄第１４行乃至右上欄第８行）
（５）甲第５号証：実願昭５４−１６０４３４号（実開昭５６−８０２９７号）のマイクロフィルム
（ａ）「本考案はビルなどの排水再利用装置に関するものである。」（第１頁）
（ｂ）「２の貯留槽、３の処理装置および４の処理水槽を建物の地下等に設け、屋上には６の分水枡、９の集水槽、１０の再利用水貯留槽とを設け、１２の土壌を集積する。」（第２頁１９行乃至第３頁第２行）
（６）甲第６号証：専門雑誌「用水と排水」Ｖｏｌ．２９、Ｎｏ．１２（１９８７）第１１４４〜１１６０頁、楠本正康ら「汚水の土壌処理に関する技術指針（５）」
（ａ）「９．２　生活排水
　固液分離後の水洗便所の排水、前処理（沈殿分離）を行なった雑排水、単独し尿浄化槽放流水などを土壌処理している実例は、全国に多数存在している。これらのほとんどは、一戸の家庭や建築物に個別につくられている。
　また、散水方法はトレンチ方式が採用されている。」（第１１５１頁右欄下から４行乃至第１１５２頁左欄第２行）
（ｂ）「（１）し尿（水洗便所排水）の処理
　し尿浄化槽の単独処理として使用されており、・・・土壌処理槽で２次処理を行ない、消毒後放流するものである。その一例をつぎに示す。処理工程は、つぎのとおりである。・・・土壌処理槽は、粒径３ｃｍ程度の砕石層１５ｃｍ、その上部にパーライト層１５ｃｍ、さらにその上部に土壌を１５ｃｍ被覆した構造になっている。排水はパイプによって砕石層に流入し、パーライト層、土壌層に拡散する。」（第１１５２頁右欄）
４−３．当審の判断
　甲第１号証の上記（ａ）には、「自然土壌層の下方に浄化砂層を設け、その下方に外気の流通を許す空気流通空間を設けると共に、上記空間内に流下汚水と空気との接触を良好にするために充填材を配置し、上記浄化砂層中に被処理汚水を供給するようにして成ることを特徴とする汚水浄化装置。」と記載されているが、この汚水浄化装置における「空気流通空間」は、地表面上で外気と通じるように配置されたものであるから、本件訂正発明１の「通気層」の如く「土壌中」に埋設されたものではない。また、この「空気流通空間」の機能は、上記（ｂ）の「この構造体８および充填材からなる帯域はその上方から流下する処理汚水がこの帯域を通過する間に、空気との接触をできるだけ良好なものとなるようにして、汚水中に残存する有機物の浄化分解を促進させるのに効果がある。」という記載によれば、流下する処理汚水と空気とをこの空間で接触させること、そして汚水中に残存する有機物の浄化分解を促進させることであるが、これに対し、本件訂正発明１の「通気層」の機能は、本件特許明細書の「一方、土壌は通気性、保水性が良好であるため、好気性菌の繁殖に適しており、さらにトレンチの下方に外気に通じる通気層を設け、面状の拡がりを持たせることができるようにしてあるため、吸排気が広範囲かつ良好に行なわれ、好気性菌は土壌の深部までよく繁殖し、浄化作用が高められ、分解ガスの排出も速やかに行なわれる。」（段落【００１０】等の記載によれば、通気性の土壌に空気を供給して土壌中の好気性菌を繁殖させることであるから、両者は、その構造や機能の点で相違していることが明らかである。
　してみると、甲第１号証には、本件訂正発明１の上記「通気層」について示唆されていないと云うべきである。また、甲第１号証の「空気流通空間」は、そもそも地表面上で外気と通じるように設けられることにより処理汚水と空気との接触がこの空間で確保されるものであるから、これを「土壌中」に埋設する動機付けが甲第１号証の記載に示唆されているとも云えない。
　次に、甲第２号証について検討すると、甲第２号証には、土壌中にトレンチが埋設された「し尿処理装置」が記載されているが、この「し尿処理装置」における土壌中への空気の供給は、上記（ｃ）や図１の記載によれば、トレンチの浸潤マット内に設けられた「少なくとも１本の給気管」によってなされており、本件訂正発明１の如く、トレンチの下方に設けられた通気層と連通する「給排気管」によってなされているものではない。また、甲第２号証に記載されたこの「し尿処理装置」の具体例では、通気性土壌層中に多孔質珪酸カルシウム水和物層６やキト酸木炭層８が形成されているが、これら層は、上記（ｆ）の「浸潤マットより下方の土壌に設けた多孔質珪酸カルシウム水和物、キト酸、炭又はゼオライトを通過するため、汚水の浄化能がさらに向上する。」という記載によれば、もっぱら「汚水の浄化能の向上」のために設けられているものであり、土壌中の好気性菌へ大気中の酸素を供給するためのものではない。そして、甲第２号証の「し尿処理装置」では、既にトレンチの下方の通気性土壌に大気中の酸素を供給するためにトレンチの上方に「給気管」が設けられているから、これとは別個にトレンチの下方に給気管を設ける必要はなく、したがって本件訂正発明１の如き「給排気管」やこれと連通する「通気層」を設ける動機付けが甲第２号証の記載に示唆されているとも云えない。
　この点に関し、特許異議申立人は、甲第２号証の「多孔質珪酸カルシウム水和物層６」は、本件訂正発明１の「土壌中に設けられた多孔質材より成る面状に拡がる通気層」に相当すると主張しているが、この層は、上述したとおり、土壌中に酸素を供給するために設けられたものではない。また、上記「多孔質珪酸カルシウム水和物層６」を実質的な「通気層」とみた場合でも、甲第２号証の「し尿処理装置」では、酸素を供給するための「給気管」が既にトレンチの上方に設けられているのであるから、トレンチの下方に給気管を別個に設ける必要はなく、したがって、この「多孔質珪酸カルシウム水和物層６」が通気層であるとしても、この層に別個に給気管を連通させる必要性も生じない。
 　以上のとおりであるから、本件訂正発明１の「前記トレンチの下方の前記土壌中に設けられた多孔質材より成る面状に拡がる通気層と、この通気層と外気を連通する給排気管」の点は、甲第１号証及び甲第２号証には記載されていないし、またこの構成を容易に導くことができるような動機付けが示唆されているとも云えない。
　また、その余の甲第３号証乃至甲第６号証についても検討すると、甲第３号証及び甲第４号証には、給・排気管が設けられた通気層が記載されているだけであり、甲第１号証及び甲第２号証に記載の「汚水処理装置」との関係について何ら記載がない。
　してみると、本件訂正発明１は、甲第１号証又は甲第２号証と甲第３号証及び甲第４号証に記載の発明から当業者が容易に想到することができたとすることはできない。
　さらに、甲第５号証及び甲第６号証についても検討すると、これら証拠は、処理水の再利用等に関するものであり、本件訂正発明１の「通気層」や「通気層と連通する給排気管」に関するものではないから、本件訂正発明１の通気層等の構成は、甲第５号証及び甲第６号証の記載からでは当業者が容易に想到することができないことは明らかである。
　したがって、本件訂正発明１は、甲第１号証乃至甲第６号証に記載された発明に基づいて当業者が容易に発明をすることができたものであるとすることができない。
（２）補正による新規事項の追加について
　補正事項の「面状の拡がりを持たせることができるようにしてあるため」については、当初の明細書又は図面のうち、特に図３によれば、出願時の請求項１に係る発明の「通気層」が土壌１１の面積分に相当する広がりで上下の土壌１１間に設けられていることは明らかであるから、新規事項ではないと云える。また「吸排気が広範囲」についても、当初の明細書の段落【００１０】には、この「通気層」では、給排気が行われると記載されており、給排気管によって面状の拡がりを有する通気層に空気を供給すれば、「吸排気が広範囲」で良好に行なわれることは明らかであるから、この補正事項も新規事項ではないと云える。
　したがって、特許異議申立人の補正に関する上記主張も採用することができない。
５．むすび
　以上のとおり、特許異議申立ての理由及び証拠方法によっては、本件訂正発明１についての特許を取り消すことはできない。
　また、他に本件訂正発明１についての特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１５年１月２９日（２００３．１．２９）
【訂正の要旨】
訂正事項
　本件訂正請求は、特許第３１８３７７９号に係る明細書を本件訂正請求書に添付の訂正明細書の通り、即ち、下記の訂正事項▲１▼乃至▲４▼に記載の通りの訂正を求めるものである。
▲１▼　特許第３１８３７７９号明細書の特許請求の範囲において、請求項１の７行目に「の前記土壌中」を挿入する。
▲２▼　同請求項１の８行目に「面状に拡がる」を挿入する。
▲３▼　同段落０００７の「課題の解決手段」の７行目に「の前記土壌中」を挿入する。
▲４▼　同段落０００７の「課題の解決手段」の７行目に「面状に拡がる」を挿入する。
（５４）【発明の名称】
高層建築物の汚水処理装置
（５７）【特許請求の範囲】
　【請求項１】　高層建築物の地下又は敷地内に設置され、高層建築物の生活排水等を一次処理する浄化槽と、高層建築物の屋上又は敷地内に設置され、前記一次処理水を高度処理する土壌浄化装置と、前記一次処理水を土壌浄化装置に供給する手段と、高層建築物の屋上又は敷地内に設置された高度処理水の集水槽より成り、前記土壌浄化装置は、通気性、保水性が良好で好気性菌の繁殖に適した土壌中に埋設されたトレンチと、このトレンチ上に配置されかつ周囲に礫状材を充填した汚水供給用多孔管と、前記トレンチの下方
の前記土壌中
面状に拡がる
【発明の詳細な説明】
　【０００１】
　【産業上の利用分野】
　この発明は、高層住宅（所謂マンション）などの高層建築物の汚水処理装置に関する。
　【０００２】
　【従来の技術】
　例えば高層住宅は、大量の生活用水を必要とし、同時に大量の汚水を排出するため、上下水道の整備された地域以外では建設が困難とされている。
　【０００３】
　また、上下水道が整備されていたとしても、渇水期の水不足や下流域への汚水の放流による問題がある。
　【０００４】
　そこで、上記のような家庭用雑排水や工場排水を浄化槽などで処理しこれを再利用し、汚水の処理と水不足に対処することが考えられる。
　【０００５】
　【発明の課題】
　しかしながら、浄化槽では浄化能力に限界があって良質の処理水が得られず、また特公昭５６−２３６７２号公報、特公昭６０−５５１９８号公報、特公平１−４４３９４号公報等に開示されている土壌浄化装置や方法は、比較的良好な浄化能力を有しているものの好気性菌による浄化作用が充分ではない。
　【０００６】
　そこで、この発明の課題は、汚水浄化能力に優れた土壌浄化方法を利用して高層建築物の排水の再利用をはかることである。
　【０００７】
　【課題の解決手段】
　上記の課題を解決するために、この発明においては、高層建築物の生活排水等を一次処理する浄化槽を敷地内の地上又は地下に設置し、この一次処理水を高度処理する土壌浄化装置を高層建築物の屋上又は敷地内の地下に設置し、前記一次処理水を土壌浄化装置に供給する手段を設け、前記土壌浄化装置を、通気性、保水性が良好で好気性菌の繁殖に適した土壌中に埋設されたトレンチと、このトレンチ上に配設されかつ周囲に礫状材を充填した汚水供給用多孔管と、前記トレンチの下方
の前記土壌中
面状に拡がる
　【０００８】
　【作用】
　高層建築物の生活排水等は、浄化槽で一次処理が行われ、これが土壌浄化装置の汚水供給用多孔管に送られる。
　【０００９】
　この多孔管から周囲の土壌内に一次処理水が浸透して行く。
　【００１０】
　一方、土壌は通気性、保水性が良好であるため、好気性菌の繁殖に適しており、さらにトレンチの下方に外気に通じる通気層を設け、面状の拡がりを持たせることができるようにしてあるため、吸排気が広範囲かつ良好に行なわれ、好気性菌は土壌の深部までよく繁殖し、浄化作用が高められ、分解ガスの排出も速やかに行なわれる。
　【００１１】
　浄化された処理水は、集水溝内に次第に集まりこの処理水は集水用多孔管を通って集水槽に回収され、再利用される。
　【００１２】
　【実施例】
　以下、この発明の実施例を添付図面に基づいて説明する。
　【００１３】
　図１に示すように、高層建築物Ａの各階便所１ａ、１ｂ……１ｚの排水は、配管１によって浄化槽２に送られる。勿論便所以外の排水も浄化槽２に供給してもよい。この浄化槽２は、ブロワによって空気を槽内に噴出させる公知の曝気式処理方式のもののほか嫌気路床式のものであってもよい。
　【００１４】
　上記浄化槽２は、建築物Ａの地下に設置するのが好ましいが敷地内の地下や地上でもよい。この浄化槽２で処理された一次処理水は、管路３を介してポンプアップされ建築物Ａの屋上に設置された土壌浄化装置１０に供給される。敷地内に充分なスペースがあれば、勿論敷地内に設置してもよく、双方に設置することも可能である。図中、３ａは敷地内に設置した土壌浄化装置１０に一次処理水を供給する管路である。
　【００１５】
　上記土壌浄化装置１０で浄化された高度処理水は集水槽４に貯留され、管路５を介して水洗便所１ａ……１ｚの用水や、管路６を介して花壇Ｂの散水や洗車などに利用するほか、屋上に設置したスプリンクラ７で芝生等に散水してもよい。このスプリンクラ７による散水で余分な水を蒸発させることによって、集水槽４の水位を調節することができ、散水による温度低下でヒートアイランド現象も防止することができる。
　【００１６】
　なお、敷地内に設置した土壌浄化装置１０の場合は、その処理水を屋上の集水槽４にポンプアップする必要がある。また、集水槽４を地上又は地下に設け、これを複数の高層建築物に配分してもよい。
　【００１７】
　次に、図２及び図３に基づいて土壌浄化装置１０の詳細を説明する。
　【００１８】
　図示のように、通気性及び保水性が良好で好気性菌の繁殖に適した所謂団粒構造の土壌１１中には、不透水材例えば合成樹脂板から成るトレンチ１２が埋設されており、このトレンチ１２上には、砕石のような礫状材１３を周囲に充填した多孔管１４が配置されている。なお、前記礫状材１３の散逸を防止するため、ネット１５などで被覆しておくのが好ましい。また、前記トレンチ１２の断面形状は図示のコ字状に限らず、半円状やＶ字状などいずれでもよい。さらに、礫状材１３の下部に毛管作用を有するそれよりも粒度の小さい濾材１３ａを充填しておく。
　【００１９】
　前記多孔管１４は、前記管路３又は３ａからの一次処理水を土壌浄化装置に供給するためのものである。従ってトレンチ１２内では、管１４に多数の小孔が設けられているが、トレンチ１２に導入するまでは一次処理水が漏れることがないよう水密構造になっている。
　【００２０】
　前記トレンチ１２の下方の土壌１１中には、軽石などの多孔質材を充填した通気層１６が設けられ、面状に拡げることができるようになっている。この通気層１６と外気とは、吸排気管１７で連通されている。この通気層１６間に細かい土砂等が混入して目づまりが生じるのを防止するため、適当な孔径を有する多孔性シート１６ａで上面を被覆しておくのが好ましい。また、吸排気管１７の下端に多孔管１７ａを接続しておいてもよい。
　【００２１】
　前記土壌１１の下面には、集水溝１８が設けられている。この集水溝１８は、コンクリート等の不透水性構造物より成り、その中央部に集水管１９が配置されている。この集水管１９の周囲には多数の貫通孔１９ａが設けられている。また、集水溝１８内には、比較的粒径の大きい砕石等の礫材１８ａが充填されているが、空洞でもよい。その場合は、集水溝１８の上面を強靱な多孔板で被うのがよい。
　【００２２】
　前記集水溝１８は、土壌浄化装置１０の基盤を兼ねるものであるが、その断面形状は、図示のＶ字状に限らず、半円状やコ字状など、種々選択可能である。
　【００２３】
　また、集水溝１８の両側面に不透水性の仕切壁２０、２０を設けておくのがよい。
　【００２４】
　いま、浄化槽２の一次処理水を多孔管１４から供給すると、一旦トレンチ１２内に下降し、濾材１３ａの毛管作用によってトレンチ１２の周囲の土壌３１中に浸透する。この一次処理水は、土壌１１によって濾過、吸着されるが、一次処理水中の有機物は微生物によって分解処理される。このとき、土壌１１の表面近辺だけでなく、比較的深部に至っても、通気層１６が面状に拡がっているため、好気性菌がよく繁殖し分解処理が活発に行なわれる。分解後のガスも吸排気管１７を通じて速かに排出される。
　【００２５】
　一次処理水はさらに下層の土壌１１内でも分解処理され、ほぼ完全に有機物が除去された高度処理水は集水溝１８によって集水される。この高度処理水を集水管１９から集水槽４に貯留する。
　【００２６】
　なお、土壌１１の表層で芝生Ｂなどを成育させるとさらに良好な処理効果が得られる。
　【００２７】
　【効果】
　この発明によれば、以上のように、高層建築物の生活排水等の汚水を一次処理した後、土壌浄化装置によって微生物処理を行なうようにし、さらに土壌浄化装置の土壌内に外気と連通する通気層を設け、面状に拡げられるようにして土壌の通気性を良好としたので、好気性菌が土壌の深部までよく繁殖して浄化力が向上し、ＢＯＤなどをほぼ完全に除去することができ、再利用に好適な高度処理水が得られる。
　【００２８】
　また、高度処理水を循環再利用するようにしたので、下水道のない場所にも高層建築物を建設することができ、かつ渇水にも対応することができ、開発地域が拡がり資源の節約にも役立つ。
【図面の簡単な説明】
　【図１】
この発明の汚水処理装置の一例を示す線図
　【図２】
土壌浄化装置の横断面図
　【図３】
土壌浄化装置の一部破断斜視図
　【符号の説明】
　１　配管
　１ａ……１ｚ　水洗便所
　２　浄化槽
　３、３ａ　管路
　４　集水槽
　５、６　管路
　７　スプリンクラ
　１０　土壌浄化装置
　１１　土壌
　１２　トレンチ
　１３　礫状材
　１３ａ　濾材
　１４　多孔管
　１５　ネット
　１６　通気層
　１６ａ　多孔性シート
　１７　吸排気管
　１８　集水溝
　１９　集水管
　１９ａ　貫通孔
　２０　仕切壁